【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
基材の金属表面の被覆方法であって、以下の工程：
Ｉ．洗浄された金属表面を有する基材を準備する工程、
ＩＩ．金属表面に、分散液および／または懸濁液の形態の水性組成物を接触させて被覆する工程、
ＶＩ．場合により、前記有機被覆を洗浄する工程、ならびに
ＶＩＩ．前記有機被覆を乾燥および／もしくは焼き付けする工程、または
ＶＩＩＩ．場合により、前記有機被覆を乾燥させて、同一もしくはさらなる被覆組成物を、乾燥および／もしくは焼き付けする前に被覆する工程、
を含んでいる、または前記工程からなっていて、
工程ＩＩにおいて、分散液および／または懸濁液の形態の水性組成物による被覆が行われ、塗膜形成ポリマーからの分散液および／または２〜４０質量％の固体含有率および１０〜１０００ｎｍの平均粒度を有する、塗膜形成する無機粒子からの懸濁液に、少なくとも１種の陰イオン性高分子電解質が、生じる混合物の総質量に対して０．０１〜５．０質量％の量で添加され、前記水性組成物が、４〜１１の範囲のｐＨ値を有していて、および前記金属表面から溶出されたカチオンを結合するイオノゲン性のゲルをベースにする被覆を形成し、該カチオンが、前処理段階および／または工程ＩＩにおける接触から生じるものであることを特徴とする、前記方法。
【請求項２】
前記陰イオン性高分子電解質が、ａ）グリコーゲン、アミロース、アミロペクチン、カロース、寒天、アルギン、アルギン酸塩、ペクチン、カラギーナン、セルロース、キチン、キトサン、カードラン、デキストラン、フルクタン、コラーゲン、ジェランガム、アラビアガム、デンプン、キサンタン、トラガカント、カラヤン、タラデンプンおよびグルコマンナンをベースにする少なくとも１種の多糖類；ｂ）ポリアミノ酸、コラーゲン、ポリペプチド、リグニンをベースにする天然由来の少なくとも１種の陰イオン性高分子電解質、ならびに／またはｃ）ポリアミノ酸、ポリアクリル酸、ポリアクリル酸コポリマー、アクリルアミドコポリマー、リグニン、ポリビニルスルホン酸、ポリカルボン酸、ポリリン酸またはポリスチレンをベースにする少なくとも１種の合成の陰イオン性高分子電解質を含んでいる、またはそれからなることを特徴とする請求項１に記載の方法。
【請求項３】
前記陰イオン性高分子電解質が、ペクチンまたはジェランガムをベースにする少なくとも１種の多糖類を含んでいる、またはそれからなることを特徴とする、請求項１または２に記載の方法。
【請求項４】
前記水性組成物および／またはそれから製造される有機被覆が、少なくとも２種の異なる陰イオン性高分子電解質からの混合物を含んでいることを特徴とする、請求項１または２に記載の方法。
【請求項５】
前記水性組成物および／またはそれから製造される有機被覆が、２種のペクチンからの混合物を含んでいることを特徴とする、請求項４に記載の方法。
【請求項６】
前記水性組成物および／またはそれから製造される有機被覆が、カルボキシ官能基のエステル化度を、アルコール基およびカルボキシ基の総数に対して５〜７５％の範囲に有する陰イオン性多糖類から選択される少なくとも１種の陰イオン性多糖類を含んでいることを特徴とする、請求項１から５までのいずれか１項に記載の方法。
【請求項７】
前記水性組成物および／またはそれから製造される有機被覆が、分子量を５００〜１００００００ｇ／ｍｏｌ-1の範囲に有する陰イオン性多糖類および／または陰イオン性高分子電解質から選択される少なくとも１種の陰イオン性多糖類および／または少なくとも１種の陰イオン性高分子電解質を含んでいることを特徴とする、請求項１から６までのいずれか１項に記載の方法。
【請求項８】
前記水性組成物および／またはそれから製造される有機被覆が、カルボキシ官能基のアミド化度を１〜５０％の範囲に、８０％までのカルボキシ官能基のエポキシ化度を有する陰イオン性多糖類および／または陰イオン性高分子電解質から選択される少なくとも１種の陰イオン性多糖類および／または少なくとも１種の陰イオン性高分子電解質を含んでいることを特徴とする、請求項１から７までのいずれか１項に記載の方法。
【請求項９】
前記陰イオン性高分子電解質が、多官能性エポキシド、イソシアネート、第一級アミン、第二級アミン、第三級アミン、第四級アミン、アミド、イミド、イミダゾール、ホルムアミド、マイケル反応生成物、カルボジイミド、カルベン、環状カルベン、環状炭酸エステル、多官能性カルボン酸、アミノ酸、核酸、メタクリルアミド、ポリアクリル酸、ポリアクリル酸誘導体、ポリビニルアルコール、ポリフェノール、少なくとも１個のアルキル基および／もしくはアリール基を有するポリオール、カプロラクタム、リン酸、リン酸エステル、エポキシドエステル、スルホン酸、スルホン酸エステル、ビニルスルホン酸、ビニルホスホン酸、カテコール、シランならびにそれから形成されるシラノールおよび／もしくはシロキサン、トリアジン、チアゾール、チアジン、ジチアジン、アセタール、半アセタール、キノン、飽和脂肪酸、不飽和脂肪酸、アルキド、エステル、ポリエステル、エーテル、グリコール、環状エーテル、クラウンエーテル、無水物の化学基、ならびにアセチルアセトンの化学基、ならびにβ−ジケト基、カルボニル基およびヒドロキシ基の化学基からなる群から選択される接着性を促進する結合基で変性される、または変性されていることを特徴とする請求項１から８までのいずれか１項に記載の方法。
【請求項１０】
前記水性組成物および／またはそれから製造される有機被覆が、金属カチオンのための少なくとも１種の錯化剤の含分、または金属カチオンの錯化により変性されたポリマーの含分を有していることを特徴とする、請求項１から９までのいずれか１項に記載の方法。
【請求項１１】
前記水性組成物および／またはそれから製造される有機被覆が、マレイン酸、アレンドロン酸、イタコン酸、シトラコン酸またはメサコン酸、またはこれらのカルボン酸の無水物もしくは半エステルをベースにする錯化剤から選択される、少なくとも１種の錯化剤の含分を有していることを特徴とする、請求項１０に記載の方法。
【請求項１２】
前記水性組成物および／またはそれから製造される有機被覆が、メラミン塩、ニトロソ塩、オキソニウム塩、アンモニウム塩、第四級窒素カチオンを有する塩、アンモニウム誘導体の塩、Ａｌ、Ｂ、Ｂａ、Ｃａ、Ｃｒ、Ｃｏ、Ｃｕ、Ｆｅ、Ｈｆ、Ｉｎ、Ｋ、Ｌｉ、Ｍｇ、Ｍｎ、Ｍｏ、Ｎａ、Ｎｂ、Ｎｉ、Ｐｂ、Ｓｎ、Ｔａ、Ｔｉ、Ｖ、Ｗ、Ｚｎおよび／またはＺｒの金属塩からなる群から選択される、カチオン効果を有する塩をベースにするカチオンから選択される少なくとも１種のカチオンを含んでいることを特徴とする、請求項１から１１までのいずれか１項に記載の方法。
【請求項１３】
前記金属表面から溶出される／溶出されている、および／または前記水性組成物に添加される／添加されているカチオンとして、Ａｌ、Ｃｕ、Ｆｅおよび／またはＺｎが選択されることを特徴とする、請求項１２に記載の方法。
【請求項１４】
前記水性組成物および／またはそれから製造される有機被覆が、ポリアクリレート、ポリウレタン、ポリエポキシドおよび／またはこれらの複合物をベースにする有機粒子の含分を有していることを特徴とする、請求項１から１３までのいずれか１項に記載の方法。
【請求項１５】
前記水性組成物および／またはそれから製造される有機被覆が、少なくとも１種の乳化剤の含分を有していることを特徴とする、請求項１から１４までのいずれか１項に記載の方法。
【請求項１６】
前記水性組成物および／またはそれから製造される有機被覆が、陰イオン性乳化剤をベースにする乳化剤から選択される少なくとも１種の乳化剤の含分を有していることを特徴とする、請求項１５に記載の方法。
【請求項１７】
前記水性組成物および／またはそれから製造される有機被覆が、バイオサイド、分散助剤、塗膜形成助剤、ｐＨ値の調整のための酸性および／または塩基性の助剤、ならびに増粘剤ならびにレベリング剤の群からなる添加剤から選択される、少なくとも１種の添加剤を含んでいることを特徴とする、請求項１から１６までのいずれか１項に記載の方法。
【請求項１８】
方法工程ＩＩにおいて前記金属表面に水性組成物を接触させて被覆する前に、該金属表面を、洗浄、酸洗および／または前処理することを特徴とする、請求項１から１７までのいずれか１項に記載の方法。
【請求項１９】
前記水性組成物が、イオノゲン性のゲルをベースにする被覆を形成すること、およびここでまたは後に形成される乾燥塗膜が、少なくとも１μｍの厚みを有していることを特徴とする、請求項１から１８までのいずれか１項に記載の方法。
【請求項２０】
前記有機被覆が、０．０５〜２０分間で浸漬浴において形成されて、乾燥後、５〜１００μｍの範囲の乾燥膜厚を有することを特徴とする、請求項１から１９までのいずれか１項に記載の方法。
【請求項２１】
塗膜形成ポリマーからの分散液ならびに／または２〜４０質量％の固形物含有率および１０〜１０００ｎｍの平均粒度を有する塗膜形成する無機粒子の懸濁液中に、少なくとも１種の陰イオン性高分子電解質を、生じる混合物の総質量に対して０．０１〜５．０質量％の量で含んでいて、４〜１１の範囲のｐＨ値を有している水性組成物。
【請求項２２】
塗膜形成ポリマーからの分散液中に、ポリアクリレート、ポリウレタン、ポリエポキシドおよび／またはこれらの複合物をベースにする有機粒子の含分、マレイン酸、アレンドロン酸、イタコン酸、シトラコン酸またはメサコン酸、またはこれらのカルボン酸の無水物もしくは半エステルをベースにする錯化剤から選択される少なくとも１種の錯化剤の含分、ならびにペクチンまたはジェランガムをベースにする少なくとも１種の陰イオン性高分子電解質を有していることを特徴とする、請求項２１に記載の水性組成物。
【請求項２３】
電着塗料による被覆において問題が生じる基材の被覆のための、請求項１から２０までのいずれか１項に記載の方法、または請求項２１もしくは２２に記載の水性組成物の使用。